(57)【要約】【課題】  非透水性用途のフレキシブルコンテナバッグは、構成が複雑であり、液体を投入した際の形状安定性が乏しく、運搬及び保管安定性が低下するという課題があった。【解決手段】  非透水性素材から形成された、多角形の底面と、その底面の各辺を下底とする複数の等脚台形の側面と、開口した上面とから形成される切頭多角錐形状であり、等脚台形の底辺と内角を形成する側辺部が非透水性素材を複数回折り込んだ折り込み部を形成し、側辺部及び／又は折り込み部が熱溶着されているフレキシブルコンテナバッグ。【選択図】図１
2017105481.tif 000002
【特許請求の範囲】
【請求項１】
非透水性素材から成り、
多角形の底面と、該底面の各辺を下底とする複数の等脚台形の側面と、開口した上面とから成る切頭多角錐形状を有し、
該等脚台形の底辺と内角を形成する側辺部が該非透水性素材を複数回折り込んだ折り込み部を有し、
該側辺部及び／又は該折り込み部が熱溶着されていることを特徴とするフレキシブルコンテナバッグ。
【請求項２】
前記折り込み部が、前記側面に熱溶着されていることを特徴とする請求項１に記載のフレキシブルコンテナバッグ。
【請求項３】
前記折り込み部が、前記側面から独立しており、前記切頭多角錐形状が形成する内容積の外側に存在することを特徴とする請求項１に記載のフレキシブルコンテナバッグ。
【請求項４】
一枚の前記非透水性素材から成ることを特徴とする請求項１乃至３いずれか一項に記載のフレキシブルコンテナバッグ。
【請求項５】
前記折り込み部が、重ねられた複数枚の非透水性素材の厚さ方向に渡って固定されていることを特徴とする請求項１乃至４いずれか一項に記載のフレキシブルコンテナバッグ。
【請求項６】
側面上底が水平となるように予めカットされた前記非透水性素材から形成されたことを特徴とする請求項１乃至請求項５いずれか一項に記載のフレキシブルコンテナバッグ。
【請求項７】
側面上底部が前記非透水性素材の折り込みによって多重化されたことを特徴とする請求項１乃至請求項６いずれか一項に記載のフレキシブルコンテナバッグ。
【発明の詳細な説明】
【技術分野】
【０００１】
本発明は、フレキシブルコンテナバッグに関し、更に詳しくは液体を運搬・保管するフレキシブルコンテナバッグに関する。
【背景技術】
【０００２】
フレキシブルコンテナバッグは、不使用時には小さく折り畳むことができて、保管性にも優れることから物資運搬用として広く使用されている。
【０００３】
これらフレキシブルコンテナバッグは、粉状、粒状等の工業製品や、肥料、飼料等を運搬する用途に使用される他、液体や液体を含むものを運搬・保管する用途にも使用することが検討されている。
【０００４】
上記のようなフレキシブルコンテナバッグとしては、漁獲した鮮魚の鮮度を維持しながら多量かつ効率よく移送する用途として、内袋等の非透水性素材と、断熱性の高いシートから成る外袋とで二重袋に構成された鮮魚移送用袋が提案されている（例えば、特許文献１）。
【０００５】
また、液体を投入したとしても補強材の内部配置やスタンド等を用いることなく自立可能なフレキシブルコンテナバッグとして、正多角形の底面と、その底面の各辺を底辺とする複数の二等辺三角形の側面からなる正多角錐の上部を切り取った形状のフレキシブルコンテナバッグが提案されている（例えば、特許文献２）。
【先行技術文献】
【特許文献】
【０００６】
【特許文献１】特開２００７−１６４０
【特許文献２】特開２０１４−６１９３７
【発明の概要】
【発明が解決しようとする課題】
【０００７】
しかしながら、特許文献１は非透水性の内袋と断熱性の外袋を組み合わせた構成であり、非液体用途のフレキシブルコンテナバッグと比較して、構造上複雑なものであった。また、特許文献２は一定程度の自立性を有するものの、折り畳みが容易な柔軟素材から構成された場合、液体を投入した際に、切頭多角錐形状の側面及び側辺が液体の重みで外側に膨らんでしまい、安定した多角錐形状を維持し難く、そのため運搬、保管安定性が低下してしまういという課題があった。
【０００８】
本発明は、上記課題に鑑みて成されたものであり、その目的は、内袋等の非透水性素材を用いることのないシンプルな構成でありながら、液体を投入した際にも安定した切頭多角錐形状をより維持しやすく、これにより運搬・保管安定性に優れた非透水性フレキシブルコンテナバッグを提供することにある。
【課題を解決するための手段】
【０００９】
本発明者らは、前記課題を解決すべく鋭意研究の結果、本発明の完成に至った。
すなわち、本発明（１）は、非透水性素材から成り、多角形の底面と、該底面の各辺を下底とする複数の等脚台形の側面と、開口した上面とから成る切頭多角錐形状を有し、該等脚台形の底辺と内角を形成する側辺部が該非透水性素材を複数回折り込んだ折り込み部を有し、該側辺部及び／又は該折り込み部が熱溶着されていることを特徴とするフレキシブルコンテナバッグである。
【００１０】
本発明（２）は、前記折り込み部が、前記側面に熱溶着されていることを特徴とする前記発明（１）に記載のフレキシブルコンテナバッグである。
【００１１】
本発明（３）は、前記折り込み部が、前記側面から独立しており、前記切頭多角錐形状が形成する内容積の外側に存在することを特徴とする前記発明（１）に記載のフレキシブルコンテナバッグである。
【００１２】
本発明（４）は、一枚の前記非透水性素材から成ることを特徴とする前記発明（１）、（２）または（３）に記載のフレキシブルコンテナバッグである。
【００１３】
本発明（５）は、前記折り込み部が、重ねられた複数枚の非透水性素材の厚さ方向に渡って固定されていることを特徴とする前記発明（１）、（２）、（３）または（４）に記載のフレキシブルコンテナバッグである。
【００１４】
本発明（６）は、側面上底が水平となるように予めカットされた前記非透水性素材から形成されたことを特徴とする前記発明（１）、（２）、（３）、（４）または（５）に記載のフレキシブルコンテナバッグである。
【００１５】
本発明（７）は、側面上底部が前記非透水性素材の折り込みによって多重化されたことを特徴とする前記発明（１）、（２）、（３）、（４）、（５）または（６）に記載のフレキシブルコンテナバッグである。
【発明の効果】
【００１６】
本発明によれば、内袋等の非透水性素材を用いることのないシンプルな構成でありながら、液体を投入した際にも安定した切頭多角錐形状を、より維持しやすい非透水性フレキシブルコンテナバッグを提供することができる。
【００１７】
すなわち、非透水性素材を使用し、切頭多角錐形状を形成させると共に、その側辺部に複数回折り込み部を設け、適宜熱溶着することで、液体からの圧力（液体に働く重力）に抗する上で重要であり、かつ切頭多角錐形状の形状維持のための骨格となるべき側辺部を強化すると共に、例え縫製等により運搬用ベルトを取り付けたとしても、縫い目等から漏水の生じる恐れのないフレキシブルコンテナバッグを提供することができるものである。
【図面の簡単な説明】
【００１８】
【図１】本発明のフレキシブルコンテナバッグの一実施例を示す斜視図である。
【図２】本発明のフレキシブルコンテナバッグの一実施例を示す側面図である。
【図３】本発明のフレキシブルコンテナバッグの一実施例の展開図である。
【図４−ａ】本発明のフレキシブルコンテナバッグの一実施例の組み立て要領を示す図である。
【図４−ｂ】本発明のフレキシブルコンテナバッグの一実施例の組み立て要領を示す図である。
【図４−ｃ】本発明のフレキシブルコンテナバッグの一実施例の組み立て要領を示す図である。
【図５】本発明のフレキシブルコンテナバッグの他の実施形態を示す斜視図である。
【図６】本発明のフレキシブルコンテナバッグの他の実施形態を示す側面図である。
【図７】本発明のフレキシブルコンテナバッグの他の実施形態の展開図である。
【図８−ａ】本発明のフレキシブルコンテナバッグの他の実施形態の組み立て要領を示す図である。
【図８−ｂ】本発明のフレキシブルコンテナバッグの他の実施形態の組み立て要領を示す図である。
【図８−ｃ】本発明のフレキシブルコンテナバッグの他の実施形態の組み立て要領を示す図である。
【発明を実施するための形態】
【００１９】
以下、図面を参照しつつ、本発明のフレキシブルコンテナバッグの実施形態について詳細に説明するが、本発明は、これら実施形態に限定されるものではない。
【００２０】
尚、本発明に係る等脚台形とは、１本の底辺の両端の内角（以下、底角ともいう。）が互いに等しい図形のことを指す。このとき、もう一組の底辺の両端の内角も互いに等しくなる。すなわち、等脚台形は線対称な図形であり、その対称軸は２本の底辺それぞれの中点をともに通る直線となるものである。
【００２１】
また、本発明に係る側辺部とは、フレキシブルコンテナバッグの等脚台形形状を有する側面の略上下方向を形成する側辺及び、折り込み部を含む側辺周辺部を指し、本発明に係る側面上底部とは、フレキシブルコンテナバッグの等脚台形形状を有する側面の略水平の側面上底及び、折り込み部を含む上底周辺部を指す。
【００２２】
本発明に係る多角形の底面は、何角形であっても構わないが、正多角形であることが好ましい。また、三角形であると内容積が減少する傾向があり、角数が増すほど一辺の長さが短くなりフレキシブルコンテナバッグの姿勢安定性が低下する傾向があるため、四角形が好ましく、更には正方形が最も好ましい。
【００２３】
また、フレキシブルコンテナバッグの側面を形成する等脚台形の側面上底は、水平であることが好ましい。
【００２４】
符号６、１１に示す複数回折り込み部は、非透水性素材が複数枚重ねられた構造を有するが、これら非透水性素材が重ねられた厚さ方向に渡って固定されていることが好ましい。このような構造を取ることでフレキシブルコンテナバッグの側辺部が、構造的に強化され、液体に働く重力に抗して切頭多角錐形状を維持しやすくなるという効果を奏する。
【００２５】
（第一の実施形態）
図１に、底面２を正方形とした切頭多角錐形状のフレキシブルコンテナバッグ１を示す。符号３は、底面２の一辺を下底とし、等脚台形形状を成すフレキシブルコンテナバッグの側面であり、符号αは、符号３面の上底にあたる側面上底であり、符号βは、符号３面の内角（以下、底角ともいう。）であり、符号４は、開口した上面を指し（内部空間への入り口）、符号５は、運搬するときに使う運搬用ベルトである。また、符号６は、等脚台形の底辺と内角を形成する側辺部を複数回折り込み、側面３に熱溶着させた複数回折り込み部を指す。符号７は、側辺部に折り込まれた非透水性素材に挟み込んだ符号５の運搬用ベルトを固定させるベルト固定手段を指し、本実施形態に置いてはアイレットリングである。このアイレットリングは、折り込みによって重ねられた非透水性素材の厚さ方向に渡って、貫通した状態で固定されている。
【００２６】
図２はフレキシブルコンテナバッグ１の側面図を示し、図３はフレキシブルコンテナバッグ１の展開図を示す。符号８−ａ面、８−ｂ面は、折り込み、溶着後に符号６を形成する複数回折り込み部となる。
【００２７】
また、図４−ａ〜図４−ｃは側辺部における非透水性素材の折り込み方法例、及び熱溶着部を説明するための図である。第一の実施形態のフレキシブルコンテナバッグ１を形成する方法としては、まず、図３に示す符号８−ｃ部８箇所に切り込みを入れ、次に符号８−ａ面と８−ｂ面を、図４−ａに示すような様態で符号８−ａ面、８−ｂ面同士を重ね合わせ、２重となった部分を熱溶着させる。この時、符号８−ｄ面は、側面３と切り離して取り除いても良いし、側面３の上底部を補強するために残しておいても良い。次に、図４−ｂに示すように、溶着された符号８−ａ面を符号８−ｂ面側に折り込むと共に、熱溶着させる。このようにして形成された１回折り込み部９を、図４−ｃに示すように側面３に熱溶着させる。この作業を他の３側辺部についても同様に実施することによって、第一の実施形態の切頭多角錐形状を有するフレキシブルコンテナバッグ１を得ることが出来る。尚、運搬用ベルトを取り付ける場合には、いずれかの熱溶着工程時に折り込み部へ運搬ベルトを挟み込んで熱溶着した後、最後にアイレットリング、縫製等の固定手段によって取り付ければ良い。この場合、運搬用ベルト自身を、熱溶着可能な素材とすることで、アイレットリング等で固定するまでの間に脱離等を生じる恐れが少ないため好ましい。また、熱溶着に適さない材質の運搬用ベルトを取り付ける場合には、溶着可能な材質の部材をミシン等で運搬用ベルトに縫い付けた後に、挟み込み溶着してアイレットリング等で固定する方法を取ってもよい。
【００２８】
切頭多角錐形状のフレキシブルコンテナバッグに液体を投入した場合、重力に従って、液体には地面側へ広がろうとする力が働くため、フレキシブルコンテナバッグの側面部及び側辺部は液体の圧力を受けることとなる。ここで、フレキシブルコンテナバッグの側辺部を複数回折り込み、適宜熱溶着することにより、フレキシブルコンテナバッグが、切頭多角錐形状を維持するための骨格となるべき側辺部を強化する作用が働くと共に、例え縫製等により運搬用ベルトを取り付けたとしても、縫い目等からの漏水を防ぐことが可能となる。すなわち、側辺部の強化により、保管時の折り畳み性に優れた柔軟な素材を使用したとしても、液体に働く重力に抗して切頭多角錐形状を維持しやすくなるという効果を奏する。更に、側辺部以外の、例えば側面を形成する等脚台形面の上底部を適宜非透水性素材で補強してもよい。
その場合、図３の符号８−ｃの切り込みにより、符号３面とのみ繋がる符号８−ｄ面をフレキシブルコンテナバッグ内側若しくは、外側へ折り込み、熱溶着する方法が強度及び作業性面からも好適である。
【００２９】
（第二の実施形態）
図５に、複数回折り込み部１１が側面から独立した状態のフレキシブルコンテナバッグ１０を示す。独立とは、複数回折り込み部１１が側面３に溶着等固定されていない状態を指す。この実施形態においては、図５に示す通り、複数回折り込み部１１がフレキシブルコンテナバッグ１０の内容積を形成する空間の外側に位置している。符号１２は運搬用ベルト縫製部を示す。この場合にも、縫製は重ねられた非透水性素材の厚さ方向に渡って実施（固定）されていることが好ましい。また、図６はフレキシブルコンテナバッグ１０の側面図を示し、図７はフレキシブルコンテナバッグ１０の展開図を示す。図７において、実線と一点鎖線は折り方向の違いを示し、破線で囲まれた領域は、予め切除しておく領域、若しくはフレキシブルコンテナバッグの内側又は外側に折り込まれる領域を示す。このように底面２が正方形の非透水性素材を、複数回折り込み部１１が側面から独立した状態で、フレキシブルコンテナバッグ１０の内容積を形成する空間の外側に形成させることで、より正方形に近い形状から切頭多角錐形状のフレキシブルコンテナバッグを得ることが可能となり、切除若しくは、折り込むべき素材部分を減らすことが出来るため、経済的であると共に、図７の展開図のように側辺部が頂点１９に向かって切除されていない１枚の非透水性素材を使用して切頭多角形状を形成することにより、例え熱溶着部が剥離したとしても漏水を防止する効果を有することが出来る。尚、等脚台形形状を有するフレキシブルコンテナバッグの側面上底αが水平となるように切除する場合、その工程は、予め実施しても良いし、切頭多角錐形状形成後でも良い。また、破線で示される余剰部を折り込む処置としても良いが、作業性等を勘案した場合、予め破線部を切除しておくことが好ましい。
【００３０】
次に、図８−ａ〜図８−ｃを参照しつつ、第二の実施形態のフレキシブルコンテナバッグの形成方法を説明する。図８−ａは、図７に示す符号１３ａ、１３ｂ、１４ａ、１４ｂ、１５の折り込み線で折り込んだ様態を示す。次に、折り込み線１３ａ、１４ａ、１７ａで形成される面と、折り込み線１３ａ、１５、１８ａで形成される面とを熱溶着させる。同様して、折り込み線１３ｂ、１４ｂ、１７ｂで形成される面と、折り込み線１３ｂ、１５、１８ｂで形成される面とを熱溶着させる。その後、辺１７ａの中点と頂点１９を結ぶ線、及び辺１７ｂの中点と頂点１９を結ぶ線で、それぞれ図８−ｂに示す方向に折り込む。次に、面２０ａと２０ｂの間に運搬用ベルトを挟み、図５の１２に示すような縫製を施す。この時、縫製は、重ねられた非透水性素材の厚さ方向に渡って実施（固定）されていることが好ましい。次に、他の３側辺についても同様の要領で作業することによって、切頭多角錐形状を有する第二の実施形態のフレキシブルコンテナバッグ１０を得ることが出来る。尚、運搬用ベルトがフレキシブルコンテナバッグ本体の非透水性素材と同一である場合には、運搬用ベルトを本体と熱溶着させた後のアイレットリング等で固定するようにしても良い。また、フレキシブルコンテナバッグの内容量が５０Ｌ以上である場合には、例えば運搬用ベルトをフレキシブルコンテナバッグ底面まで回して、重量への対応としてもよい。
【００３１】
尚、いずれの実施形態においても、熱溶着箇所は、水密性及び側辺の強度等を勘案し、適宜決定すればよい。熱溶着の方法は、被透水性素材の種類、形状、被溶着部の形状等により適宜選定すればよい。具体的には、高周波溶着、熱風式溶着、熱板式溶着、インパルス式溶着、コテ式溶着、超音波溶着、レーザー溶着等の公知の方法で実施することが出来る。
【００３２】
これらフレキシブルコンテナバッグの側面となる等脚台形の底角は、６０°〜８５°程度に設定することが好ましい。６０°未満の場合には、内容物の重心を下げて安定性を増す効果があるものの、内容積の低下等を招く、また８５°を越える場合には、内容積は増すものの、内容物の重心が上がるため、運搬時の安定性が低下する恐れがある。
【００３３】
ベルト５をフレキシブルコンテナバッグ本体に取り付ける方法は、縫製やリベット、アイレットリング、ボルト等の固定具などにより取り付けても良いし、その他の丈夫な素材を介して本体に取り付けられても良いが、本体との固定手段が、折り込み部で重ねられた非透水性素材の厚さ方向に渡って取り付けられていることが好ましい。こうすることで、切頭多角錐形状を維持するための骨格となるべき側辺部をより補強することができる。また、ベルトを取り付けずに、例えばアイレットリング処理のみを施し、そこにロープ等を通して運搬用ベルトとすることも出来る。
【００３４】
フレキシブルコンテナバッグを構成する非透水性素材としては、熱溶着可能な熱可塑性樹脂を原料とするものであり、クロス等に、例えば、ポリエチレン、ポリプロピレン、ポリエステル、塩化ビニール等をラミネート加工したものが好ましく、更には、軽量で成形性、耐候性、耐薬品性優れているものが好ましい。また、熱風式溶着を実施する場合、熱風により非透水性素材を傷つけることもあることから、例えば、フラットヤーンを織り込んだクロスを多層にして、メタロセン触媒鎖状短鎖分岐ポリエチレンを上層、中間層、下層にラミネート加工した多層のシートなどを好適に用いることができる。
【００３５】
また、本発明のフレキシブルコンテナバッグは、入り口周辺に紐体などを配して、絞って閉じる様態としても良いし、蓋体を使用して入り口を覆っても良い。また、必要に応じて、等脚台形の側面上底部を補強部材で補強することも出来る。
【００３６】
以上、説明した通り、本発明のフレキシブルコンテナバッグは、内袋等の非透水性素材を用いることのないシンプルな構成でありながら、液体を投入した際にも安定した切頭多角錐形状をより維持しやすい効果により、安定した運搬及び保管を実現することができる。
【符号の説明】
【００３７】
１、１０・・・・・・フレキシブルコンテナバッグ
２・・・・・・・・・底面
３・・・・・・・・・側面
４・・・・・・・・・開口した上面
５・・・・・・・・・運搬用ベルト
６、１１・・・・・・複数回折り込み部
７・・・・・・・・・ベルト固定手段
９・・・・・・・・・１回折り込み部
１２・・・・・・・・運搬用ベルト縫製部
１３ａ〜１５・・・・折り込み線
α・・・・・・・・・側面上底
β・・・・・・・・・内角（底角）
【図１】
2017105481.tif 000003
【図２】
2017105481.tif 000004
【図３】
2017105481.tif 000005
【図４−ａ】
2017105481.tif 000006
【図４−ｂ】
2017105481.tif 000007
【図４−ｃ】
2017105481.tif 000008
【図５】
2017105481.tif 000009
【図６】
2017105481.tif 000010
【図７】
2017105481.tif 000011
【図８−ａ】
2017105481.tif 000012
【図８−ｂ】
2017105481.tif 000013
【図８−ｃ】
2017105481.tif 000014